(57)【要約】【課題】撮影技師のポジショニング時間を測定することができる携帯型コンソール、携帯型コンソールの制御方法、携帯型コンソールの制御プログラム、及び携帯型コンソールを利用した撮影スキル評価システムを提供する。【解決手段】携帯型コンソール２７は、撮影技師により携帯されて撮影室Ｒ１と操作室Ｒ２との間を移動する。無線通信部４２は、電波強度に応じて、撮影室Ｒ１及び操作室Ｒ２の第１ＡＰ１４ａ及び第２ＡＰ１４ｂの一方と接続する。入退室時刻検出部７１は、無線通信部４２の接続切り換えに基づき、撮影技師の撮影室への入室時刻及び退室時刻を検出する。在室時間算出部７２は、入室時刻及び退室時刻に基づいて撮影技師の撮影室Ｒ１の在室時間を算出し、撮影技師のポジショニング時間として、ポジショニング時間格納部２７Ｊに格納する。【選択図】図７
2015191555.tif 000002
【特許請求の範囲】
【請求項１】
撮影室内に設置された医用画像撮影装置に対し、撮影手技に応じた撮影条件の設定を行う撮影技師により携帯される前記医用画像撮影装置の携帯型コンソールであって、
前記撮影技師の前記撮影室への入室時刻と、前記撮影室からの退室時刻とを検出する入退室時刻検出部と、
前記入室時刻と、前記退室時刻とに基づいて、前記撮影技師の前記撮影室の在室時間を算出する在室時間算出部と、
前記撮影手技で医用画像を撮影する際の前記在室時間を、被写体と前記医用画像撮影装置との相対的な位置合わせに利用されたポジショニング時間として、前記撮影手技と関連付けて格納するポジショニング時間格納部と、
を備える携帯型コンソール。
【請求項２】
前記ポジショニング時間は、撮影の準備作業の開始から、撮影開始までの時間内における前記在室時間の積算値である請求項１に記載の携帯型コンソール。
【請求項３】
前記撮影室内と前記撮影室外との少なくとも一方に設置された無線通信装置との間で通信を行う無線通信部を備えており、前記入退室時刻検出部は、前記無線通信部と前記無線通信装置との間の通信に基づいて前記撮影技師が移動した位置を特定し、前記撮影技師が前記撮影室内に移動した時刻及び前記撮影室外に移動した時刻を前記入室時刻及び前記退室時刻として検出する請求項１または２に記載の携帯型コンソール。
【請求項４】
前記無線通信装置は、前記撮影技師が前記検査室内に移動した場合に前記無線通信部と接続する第１無線通信装置と、前記撮影技師が前記検査室外に移動した場合に前記無線通信部と接続する第２無線通信装置であり、前記入退室時刻検出部は、前記無線通信部が前記第１無線通信装置と前記第２無線通信装置との間で接続を切り換える際に、前記無線通信部が前記第１無線通信装置及び前記第２無線通信装置から取得した識別情報に基づいて現在位置を特定する請求項３に記載の携帯型コンソール。
【請求項５】
前記入退室時刻検出部は、前記無線通信部と前記無線通信装置との間の電波強度に基づいて、前記撮影技師が移動した位置を特定する請求項３に記載の携帯型コンソール。
【請求項６】
前記無線通信装置は、前記無線通信部と通信ネットワークとの接続を中継する無線中継器である請求項３から５のいずれか１項に記載の携帯型コンソール。
【請求項７】
前記無線通信装置及び前記無線通信部は、電波を送信する無線通信タグ及び前記無線通信タグから送信された電波を受信するタグリーダである請求項３から５のいずれか１項に記載の携帯型コンソール。
【請求項８】
前記入退室時刻検出部は、ＧＰＳ信号に基づいて、前記撮影技師の移動した位置及び時刻を特定するＧＰＳ受信部である請求項１または２に記載の携帯型コンソール。
【請求項９】
前記医用画像撮影装置が、前記ポジショニング時間を測定する機能を備える場合には、前記ポジショニング時間格納部は、前記医用画像撮影装置から取得した前記ポジショニング時間を前記撮影手技と関連付けて格納する請求項１から８のいずれか１項に記載の携帯型コンソール。
【請求項１０】
前記医用画像撮影装置は、前記被写体を透過した放射線から放射線画像を検出する可搬型の放射線画像検出装置である請求項９に記載の携帯型コンソール。
【請求項１１】
前記ポジショニング時間に基づいて前記撮影技師の撮影スキルを分析するスキル分析部と、分析結果をディスプレイに表示する分析結果表示制御部とを備える請求項１から１０のいずれか１項に記載の携帯型コンソール。
【請求項１２】
撮影室内に設置された医用画像撮影装置に対し撮影手技に応じた撮影条件の設定を行う撮影技師によって携帯される前記医用画像撮影装置の携帯型コンソールの制御方法であって、
前記撮影技師の前記撮影室への入室時刻と、前記撮影室からの退室時刻とを検出する入退室時刻検出ステップと、
前記入室時刻と、前記退室時刻とに基づいて、前記撮影技師の前記撮影室の在室時間を算出する在室時間算出ステップと、
前記撮影手技で医用画像を撮影する際の前記在室時間を、被写体と前記医用画像撮影装置との相対的な位置合わせに利用されたポジショニング時間として、前記撮影手技と関連付けてポジショニング時間格納部に格納するポジショニング時間格納ステップと、
を備える携帯型コンソールの制御方法。
【請求項１３】
撮影室内に設置された医用画像撮影装置に対し撮影手技に応じた撮影条件の設定を行う撮影技師によって携帯される前記医用画像撮影装置の携帯型コンソールの制御プログラムであって、
前記撮影技師の前記撮影室への入室時刻と、前記撮影室からの退室時刻とを検出する入退室時刻検出ステップと、
前記入室時刻と、前記退室時刻とに基づいて、前記撮影技師の前記撮影室の在室時間を算出する在室時間算出ステップと、
前記撮影手技で医用画像を撮影する際の前記在室時間を、被写体と前記医用画像撮影装置との相対的な位置合わせに利用されたポジショニング時間として、前記撮影手技と関連付けてポジショニング時間格納部に格納するポジショニング時間格納ステップと、
を携帯情報端末に実行させる携帯型コンソールの制御プログラム。
【請求項１４】
撮影室内に設置された医用画像撮影装置に対し撮影手技に応じた撮影条件の設定を行う撮影技師によって携帯される前記医用画像撮影装置の携帯型コンソールと、前記携帯型コンソールから取得した情報に基づいて、前記撮影技師の撮影スキルを分析するスキル分析サーバとを備える撮影スキル分析システムにおいて、
前記携帯型コンソールは、
前記撮影技師の前記撮影室への入室時刻と、前記撮影室からの退室時刻とを検出する入退室時刻検出部と、
前記入室時刻と、前記退室時刻とに基づいて、前記撮影技師の前記撮影室の在室時間を算出する在室時間算出部と、
前記撮影手技で医用画像を撮影する際の前記在室時間を、被写体と前記医用画像撮影装置との相対的な位置合わせに利用されたポジショニング時間とし、前記ポジショニング時間と前記撮影手技とを関連付けたポジショニング時間情報を前記スキル分析サーバに送信するポジショニング時間情報送信部と、を備えており、
前記スキル分析サーバは、
前記携帯型コンソールから送信された前記ポジショニング時間情報を格納するポジショニング時間情報格納部と、
前記ポジショニング時間情報に基づいて、前記撮影技師の前記撮影手技毎の撮影スキルを分析するスキル分析部と、
前記分析結果を前記携帯型コンソールに配信する配信部と、を備える
撮影スキル分析システム。
【請求項１５】
前記撮影スキル分析サーバは、前記分析結果に基づき、前記撮影技師に対するアドバイス情報を作成するアドバイス情報作成部を備える請求項１４に記載の撮影スキル分析システム。
【発明の詳細な説明】
【技術分野】
【０００１】
本発明は、医用画像撮影装置の操作に用いられる携帯型コンソールと、携帯型コンソールの制御方法と、携帯型コンソールの制御プログラムと、携帯型コンソールを用いた撮影スキル分析システムとに関する。
【背景技術】
【０００２】
医療分野において、医用画像撮影装置で医用画像を撮影する検査業務が行われている。医用画像撮影装置として、被写体（患者）を透過した放射線（例えばＸ線）により、被写体の放射線画像を検出する放射線撮影装置が知られている。放射線撮影装置は、放射線を発生する放射線発生装置と組み合わされ、放射線撮影システムとして放射線撮影に用いられる。放射線発生装置は、放射線を被写体に向けて照射する放射線源、放射線源の駆動を制御する線源制御装置、及び放射線源を動作させるための指示を線源制御装置に入力する照射スイッチを有している。
【０００３】
放射線検出装置は、放射線画像検出装置と、放射線画像検出装置の操作に用いられるコンソールとを備える。放射線画像検出装置は、フラットパネルディテクタ（ＦＰＤ；flat panel detector）とも呼ばれるセンサパネルを有し、センサパネルによって被写体を透過した放射線を電気信号に変換することによって放射線画像を検出する。コンソールは、放射線画像検出装置に対し、撮影手技に応じた撮影条件を設定する。撮影手技とは、撮影部位、撮影方向及び撮影姿勢など、放射線撮影に用いられる撮影手法のことである。放射線画像検出装置は、検出した放射線画像をコンソールに送信するので、コンソールで画像を表示して確認することができる。
【０００４】
放射線撮影システムのうち、放射線源及び放射線画像検出装置は、放射線が外部に漏洩しないように鉛などでシールドされた撮影室に設置される。照射スイッチ及びコンソールは、撮影室に隣接された操作室に設置されるので、放射線撮影の撮影技師は、撮影室外の操作室から、放射線源及び放射線画像検出装置を操作することができる。従来、コンソールにはデスクトップ型のコンピュータが用いられていたが、スマートフォンやタブレット型端末、ノート型パソコンなどの携帯情報端末の性能向上に伴い、携帯情報端末を利用した携帯型コンソールも知られている。携帯型コンソールは、撮影技師による携帯が可能であるため、撮影室に持ち込んで放射線画像検出装置の近くで操作することができる。
【０００５】
医用画像撮影装置は高額であるため、効率の悪い運用を行うと医療施設の経営に悪影響を及ぼす場合がある。そのため、医療施設では、医用画像撮影装置を用いた検査業務の一連の流れであるワークフローを分析し、その分析結果に基づいて検査業務の効率改善を図っている。また、検査業務の効率改善を支援するために、検査業務のワークフローを分析してレポートを作成する、ワークフロー分析レポート作成システムも提案されている（例えば、特許文献１参照）。
【０００６】
特許文献１のワークフロー分析レポート作成システムは、複数台のヒト追跡センサと、サービスプロセッサと、レポート作成サーバとを備えている。ヒト追跡センサは、撮影室及び操作室における撮影技師の行動を検出するセンサであり、例えば、撮影技師を撮影するビデオカメラが用いられる。サービスプロセッサは、ワークフローの分析材料となる情報を収集する装置であり、医用画像撮影装置のコンソールから、医用画像撮影装置の操作内容を表す操作情報を取得し、レポート作成サーバに出力する。また、サービスプロセッサは、ヒト追跡センサで撮影された映像を分析して、撮影技師の識別と、行動内容、行動場所及び行動時間の特定を行い、これらを撮影技師の行動情報としてレポート作成サーバに出力する。レポート作成サーバは、操作情報と、撮影技師の行動情報とに基づき、撮影技師の行動を含めた検査業務のワークフローを分析し、分析結果に基づくレポートを作成する。このワークフロー分析レポート作成システムを利用すれば、医用画像撮影装置を用いた検査業務の無駄な部分や、改善が必要な部分が見つけられるので、検査業務の効率改善に役立つ。
【先行技術文献】
【特許文献】
【０００７】
【特許文献１】特開２００５−２９３３０１号公報
【発明の概要】
【発明が解決しようとする課題】
【０００８】
医療施設では、検査業務の効率改善のための施策の１つとして、上述した検査業務のワークフローの分析以外に、撮影技師の撮影スキルの向上を図っている。撮影技師の撮影スキルが向上すれば、撮影ミスが減り、撮影時間も短縮されるので、検査業務の効率が改善される。医療施設は、撮影技師の撮影スキル向上のために、撮影技師の撮影スキルの評価と、評価結果に基づく撮影技師の教育とを行っているが、撮影技師の教育は、撮影スキルに応じて行わないと効果が無いため、撮影スキルを向上させるためには、その前提として、各撮影技師の撮影スキルの正確な評価が重要になる。
【０００９】
撮影スキルの定量的な評価に利用可能な情報として、被写体と医用画像撮影装置との相対的な位置合わせ（ポジショニングともいう）にかかるポジショニング時間を利用することができる。例えば、放射線撮影では、被写体と放射線画像検出装置とのポジショニングと、被写体及び放射線画像検出装置に対する放射線源のポジショニングとが行われる。放射線撮影では、撮影にかかる時間の大半をポジショニング時間が占めている。また、撮影技師が撮影経験を積んで撮影スキルが向上することにより、ポジショニング時間が短くなることも分かっている。このように、撮影スキルとポジショニング時間とは密接な関係にあるため、撮影技師のポジショニング時間を測定すれば、撮影技師の撮影スキルを正確に評価することができる。
【００１０】
ポジショニング時間は、撮影技師が時計やストップウォッチなどを使用して測定することができる。しかし、測定作業により検査業務が煩雑になるため、人手を介さずに測定できることが望ましい。例えば、特許文献１のワークフロー分析レポート作成システムを利用すれば、撮影技師の行動情報に基づきポジショニング時間を測定することができる。しかし、ワークフロー分析レポート作成システムは、複数台のヒト追跡センサや、サービスプロセッサ、レポート作成サーバなど多数の装置が必要であり、導入及び運用に多額の資金が必要となるため、簡単には導入できない。また、特許文献１では、撮影技師を撮影する際に患者も撮影されてしまう。放射線撮影では、患者を脱衣状態にする場合もあるので、撮影室内の患者がヒト追跡センサによって撮影されるのは倫理的に問題がある。
【００１１】
本発明は、撮影技師の撮影スキルを正確に評価するためにポジショニング時間を測定することができる携帯型コンソール、携帯型コンソールの制御方法、携帯型コンソールの制御プログラム、及び携帯型コンソールを利用した撮影スキル評価システムを提供することを目的とする。
【課題を解決するための手段】
【００１２】
上記目的を達成するために、本発明の携帯型コンソールは、入退室時刻検出部、在室時間算出部及びポジショニング時間格納部を備える。入退室時刻検出部は、携帯型コンソールを携帯した撮影技師の撮影室への入室時刻と、撮影室からの退室時刻とを検出する。在室時間算出部は、入室時刻と、退室時刻とに基づいて、撮影技師の撮影室の在室時間を算出する。ポジショニング時間格納部は、撮影手技を用いて医用画像を撮影する際の在室時間を、被写体と医用画像撮影装置との相対的な位置合わせに利用されたポジショニング時間として、撮影手技と関連付けて格納する。
【００１３】
ポジショニング時間は、撮影の準備作業の開始から、撮影開始までの時間内における在室時間の積算値であることが好ましい。
【００１４】
撮影室内と撮影室外との少なくとも一方に設置された無線通信装置との間で通信を行う無線通信部を備えており、入退室時刻検出部は、無線通信部と無線通信装置との間の通信に基づいて撮影技師が移動した位置を特定し、撮影技師が撮影室内に移動した時刻及び撮影室外に移動した時刻を、入室時刻及び退室時刻として検出することが好ましい。
【００１５】
無線通信装置は、撮影技師が検査室内に移動した場合に無線通信部と接続する第１無線通信装置と、撮影技師が検査室外に移動した場合に無線通信部と接続する第２無線通信装置であり、入退室時刻検出部は、無線通信部が第１無線通信装置と第２無線通信装置との間で接続を切り換える際に、無線通信部が第１無線通信装置及び第２無線通信装置から取得した識別情報に基づいて現在位置を特定することが好ましい。
【００１６】
入退室時刻検出部は、無線通信部と無線通信装置との間の電波強度に基づいて、撮影技師の移動した位置を特定することが好ましい。
【００１７】
無線通信装置は、無線通信部と通信ネットワークとの接続を中継する無線中継器であることが好ましい。
【００１８】
無線通信装置は、電波を送信する無線通信タグであり、無線通信部は、無線通信タグから送信された電波を受信するタグリーダであることが好ましい。
【００１９】
入退室時刻検出部は、ＧＰＳ信号に基づいて、撮影技師の移動した位置及び時刻を特定するＧＰＳ受信部であることが好ましい。
【００２０】
医用画像撮影装置が、ポジショニング時間を測定する機能を備える場合には、ポジショニング時間格納部は、医用画像撮影装置から取得したポジショニング時間を撮影手技と関連付けて格納することが好ましい。
【００２１】
医用画像撮影装置は、被写体を透過した放射線から放射線画像を検出する可搬型の放射線画像検出装置であることが好ましい。
【００２２】
ポジショニング時間に基づいて撮影技師の撮影スキルを分析するスキル分析部と、分析結果をディスプレイに表示する分析結果表示制御部とを備えることが好ましい。
【００２３】
本発明の携帯型コンソールの制御方法は、撮影技師の撮影室への入室時刻と、撮影室からの退室時刻とを検出する入退室時刻検出ステップと、入室時刻と、退室時刻とに基づいて、撮影技師の撮影室の在室時間を算出する在室時間算出ステップと、撮影手技で医用画像を撮影する際の在室時間を、被写体と医用画像撮影装置との相対的な位置合わせに利用されたポジショニング時間として、撮影手技と関連付けてポジショニング時間格納部に格納するポジショニング時間格納ステップとを備える。
【００２４】
本発明の携帯型コンソールの制御プログラムは、入退室時刻検出ステップと、在室時間算出ステップと、ポジショニング時間格納ステップとをコンピュータに実行させる。
【００２５】
本発明の撮影スキル分析システムは、携帯型コンソールと、携帯型コンソールから取得した情報に基づいて、撮影技師の撮影スキルを分析するスキル分析サーバとを備える。携帯型コンソールは、入退室時刻検出部と、在室時間算出部と、撮影手技で医用画像を撮影する際の在室時間を、被写体と医用画像撮影装置との相対的な位置合わせに利用されたポジショニング時間とし、ポジショニング時間と撮影手技とを関連付けたポジショニング時間情報をスキル分析サーバに送信するポジショニング時間情報送信部とを備えている。スキル分析サーバは、携帯型コンソールから送信されたポジショニング時間情報を格納するポジショニング時間情報格納部と、ポジショニング時間情報に基づいて、撮影技師の撮影手技毎の撮影スキルを分析するスキル分析部と、分析結果を携帯型コンソールに配信する配信部とを備えている。
【００２６】
撮影スキル分析サーバは、分析結果に基づき、撮影技師に対するアドバイス情報を作成するアドバイス情報作成部を備えることが好ましい。
【発明の効果】
【００２７】
本発明では、入退室時刻検出部により、撮影技師の撮影室への入室時刻と退室時刻とを検出し、在室時間算出部により、入室時刻及び退室時刻に基づき、撮影技師の撮影室の在室時間を算出する。放射線撮影の準備作業中に撮影室に在室している撮影技師は、そのほとんどの時間をポジショニングに費やしているので、算出された在室時間は、撮影技師のポジショニング時間として、手技情報とともにポジショニング時間格納部に格納することができる。本発明によれば、撮影技師の撮影スキルを正確に評価するために、撮影技師のポジショニング時間を測定することができる。
【図面の簡単な説明】
【００２８】
【図１】撮影室及び操作室に設置された放射線撮影システムの構成図である。
【図２】放射線撮影装置の構成図である。
【図３】放射線画像検出装置の外観形状を示す斜視図である。
【図４】携帯型コンソールを構成する携帯情報端末の電気的構成を示すブロック図である。
【図５】ポジショニング時間格納部の構成を示す表である。
【図６】携帯型コンソールの操作画面の説明図である。
【図７】携帯型コンソールのＣＰＵの機能を示すブロック図である。
【図８】携帯型コンソールとアクセスポイントを接続するシーケンスの説明図である。
【図９】ローミングの説明図である。
【図１０】操作室から撮影室に入室した際の在室時間を表すタイムチャートである。
【図１１】撮影室に入室中の場合の在室時間を表すタイムチャートである。
【図１２】ポジショニングをやり直した場合の在室時間を表すタイムチャートである。
【図１３】携帯型コンソールの撮影スキルの分析結果表示画面の説明図である。
【図１４】ポジショニング時間の算出手順を示すフローチャートである。
【図１５】入退室時刻の検出手順を示すフローチャートである。
【図１６】撮影スキルの分析結果表示手順を示すフローチャートである。
【図１７】第２実施形態の携帯型コンソールのＣＰＵの機能を示すブロック図である。
【図１８】第２実施形態のアクセスポイントの電波強度を示す説明図である。
【図１９】第３実施形態の撮影室及び操作室に設置された放射線撮影システムを示す図である。
【図２０】第３実施形態の携帯型コンソールのＣＰＵの機能を示すブロック図である。
【図２１】第４実施形態の携帯型コンソールのＣＰＵの機能を示すブロック図である。
【図２２】第５実施形態の携帯型コンソールのＣＰＵの機能を示すブロック図である。
【図２３】第５実施形態のポジショニング時間の取得手順を示すフローチャートである。
【図２４】第６実施形態の携帯型コンソール及びスキル分析サーバの機能的な構成を示す説明図である。
【図２５】第６実施形態の撮影技師の分析結果表示画面の説明図である。
【図２６】第６実施形態の複数人の撮影技師の分析結果表示画面の説明図である。
【発明を実施するための形態】
【００２９】
[第１実施形態]
図１において、放射線撮影システム１０は、医用画像として放射線画像を撮影する撮影システムである。放射線撮影システム１０を構成する各装置は、医療施設の撮影室Ｒ１と、撮影室Ｒ１に隣接する操作室Ｒ２とに分散して設置されている。撮影室Ｒ１では、放射線撮影システム１０による放射線撮影が行われる。操作室Ｒ２は、放射線撮影の撮影技師Ｔが、撮影室Ｒ１の外から放射線撮影システム１０に対する撮影指示を行うための部屋である。操作室Ｒ２には、医療施設の他の区画から操作室Ｒ２に入退室するためのドアＲ２ａが設けられている。また、撮影室Ｒ１と操作室Ｒ２との間には、操作室Ｒ２から撮影室Ｒ１に入退室するためのドアＲ１ａが設けられている。撮影室Ｒ１の床、壁面、天井及びドアＲ１ａは、放射線が撮影室Ｒ１から漏洩しないように鉛などでシールドされている。
【００３０】
放射線撮影を行う場合には、撮影技師Ｔと、患者（被写体）Ｐは、ドアＲ２ａ及びドアＲ１ａを通って撮影室Ｒ１に入室する。撮影技師Ｔは、撮影室Ｒ１において、放射線撮影システム１０と患者Ｐとの相対的な位置合わせであるポジショニングや、撮影条件の設定など、放射線撮影の準備作業を行う。準備作業の終了後、撮影技師Ｔは、２点鎖線で示すように撮影室Ｒ１から操作室Ｒ２に移動し、放射線撮影システム１０に対し放射線撮影の開始を指示する。
【００３１】
撮影室Ｒ１、操作室Ｒ２、その他医療施設内の要所には、無線端末を院内の通信ネットワークであるＬＡＮ（Local Area Network）１３に接続するためのアクセスポイント（ＡＰ：Access Point）１４が設置されている。ＡＰ１４は、本発明の無線通信装置及び無線中継器に相当する。ＡＰ１４は、無線端末と通信するための無線通信部と、通信ケーブルを介してＬＡＮ１３に接続するための有線通信部とを備えている。無線通信部は、例えば、ＩＥＥＥ８０２．１１ｎなどの無線ＬＡＮ規格に準拠したものである。撮影室Ｒ１は、放射線の漏洩防止のためのシールドにより無線電波が届きづらくなっているため、ＡＰ１４は、撮影室Ｒ１及び操作室Ｒ２にそれぞれ設置されている。なお、撮影室Ｒ１及び操作室Ｒ２のＡＰ１４を識別するため、以下では、それぞれ第１ＡＰ１４ａ、第２ＡＰ１４ｂと呼ぶ。
【００３２】
放射線撮影システム１０は、放射線発生装置１７と、放射線撮影装置１８とで構成されている。放射線発生装置１７は、撮影室Ｒ１に設置された放射線源１９と、放射線源１９を制御する線源制御装置２０と、操作室Ｒ２に設置された照射スイッチ２１とを有する。放射線源１９は、放射線（例えばＸ線）を放射する放射線管と放射線管が放射する放射線の照射野を限定する照射野限定器（コリメータ）とを有している。
【００３３】
線源制御装置２０は、放射線のエネルギースペクトルを決める管電圧、単位時間当たりの照射量を決める管電流、及び放射線の照射が継続する照射時間などの撮影条件に基づいて、放射線源１９を制御する。管電圧、管電流、照射時間といった撮影条件は、線源制御装置２０の操作パネル（図示せず）を通じて撮影技師Ｔによって手動で設定される。照射スイッチ２１は、撮影技師Ｔによって操作され、放射線源１９に照射を開始させるための照射開始信号を発生する。照射スイッチ２１が発生する照射開始信号は、信号ケーブルを通じて線源制御装置２０に入力される。
【００３４】
線源制御装置２０は、照射スイッチ２１からの信号に基づいて、放射線源１９の動作を制御する。照射スイッチ２１から照射開始信号を受けた場合、線源制御装置２０は、放射線源１９への電力供給を開始するとともに、タイマを作動させて放射線の照射時間の計測を開始する。そして、撮影条件で設定された照射時間が経過すると、線源制御装置２０は、放射線の照射を停止させる。放射線の照射時間は、照射条件に応じて変化する。線源制御装置２０には、安全規制上の最大照射時間が設定されており、照射条件に基づいて設定される照射時間は、最大照射時間の範囲内で設定される。
【００３５】
放射線撮影装置１８は、放射線画像検出装置２４、撮影台２５、撮影制御装置２６及び携帯型コンソール２７で構成されている。放射線画像検出装置２４は、本発明の医用画像撮影装置であり、扁平かつ平板状で、平面形状が矩形状の筐体４８（図３参照）を備える。筐体４８は、フイルムカセッテやＩＰカセッテの国際規格ＩＳＯ４０９０：２００１に準拠した形状をしている。そのため、放射線画像検出装置２４は、一般に電子カセッテとも呼ばれている。放射線画像検出装置２４は、放射線源１９から照射され患者Ｐを透過した放射線に基づいて、患者Ｐの放射線画像を検出する。
【００３６】
撮影台２５は、患者Ｐを立位姿勢で撮影する場合に使用される立位撮影台である。撮影台２５は、放射線画像検出装置２４が着脱自在に取り付けられるスロットを有し、放射線画像検出装置２４の前面４８ａ（図３参照）が放射線源１９と対向する姿勢で放射線画像検出装置２４を保持する。放射線画像検出装置２４は、国際規格ＩＳＯ４０９０：２００１に準拠した形状を有するため、撮影台２５として、フイルムカセッテやＩＰカセッテ用の撮影台を用いることもできる。また、撮影台２５として、立位撮影台を例示しているが、もちろん、患者Ｐを臥位姿勢で撮影する臥位撮影台でもよい。また、患者Ｐの四肢（手足）など、撮影台２５に取り付けた状態で撮影しにくい撮影部位を撮影する場合には、放射線画像検出装置２４は、撮影台２５から取り外されて使用される。
【００３７】
撮影制御装置２６は、無線方式により放射線画像検出装置２４及び携帯型コンソール２７と通信可能に接続されており、携帯型コンソール２７からの動作指示に応じて放射線画像検出装置２４を制御する。具体的には、携帯型コンソール２７から送信された撮影条件に基づき、放射線画像検出装置２４を撮影条件に応じた動作状態に設定させる。さらに、放射線源１９の照射タイミングと放射線画像検出装置２４の検出動作を同期させるための同期信号を線源制御装置２０から受信して、これを放射線画像検出装置２４に送信することにより、放射線源１９と放射線画像検出装置２４の同期制御を行う。また、撮影制御装置２６は、放射線画像検出装置２４が出力する画像データを受信して、携帯型コンソール２７に送信する。
【００３８】
携帯型コンソール２７は、タブレット型の携帯情報端末であり、撮影技師Ｔにより携帯されて、放射線画像検出装置２４の操作に使用される。携帯型コンソール２７は、無線方式によりＬＡＮ１３及び撮影制御装置２６と通信可能に接続されている。携帯型コンソール２７は、ＬＡＮ１３を通じて、放射線撮影の撮影依頼情報である撮影オーダを取得する。また、携帯型コンソール２７は、撮影制御装置２６を介して放射線画像検出装置２４に動作指示を行うとともに、放射線画像検出装置２４が検出した放射線画像を、撮影制御装置２６を経由して受信して表示する。また、携帯型コンソール２７は、撮影技師Ｔが撮影室Ｒ１内で、患者Ｐと放射線撮影システム１０とのポジショニングを行う際に、撮影技師Ｔがポジショニングに要した時間（以下、ポジショニング時間という）を測定する。ポジショニング時間は、撮影技師Ｔの放射線撮影のスキル評価に利用される。
【００３９】
ＬＡＮ１３には、病院情報システム（ＨＩＳ：Hospital Information System）サーバ３０、放射線科情報システム（ＲＩＳ：Radiology Information System）サーバ３１、画像サーバ３２が接続されている。
【００４０】
ＨＩＳサーバ３０は、電子カルテを管理するためのサーバであり、主として内科や外科などの診療科の医師や看護師などの医療スタッフが使用する診療科端末によってアクセスされる。診療科端末には、デスクトップ型やノート型のコンピュータの他、看護師や医師が携行するタブレット型コンピュータなどの携帯型の無線端末も含まれる。これらの診療科端末によって電子カルテの閲覧や診療情報の入力が行われる。
【００４１】
ＲＩＳサーバ３１は、放射線科が管理するサーバであり、診療科から放射線科に向けて送信される撮影オーダを管理する撮影オーダ管理装置である。撮影オーダには、撮影オーダを識別するオーダＩＤと、診療科名、医師名を含む依頼元情報と、患者の氏名、年齢及び性別を含む患者基本情報と、撮影手技を指示するための手技情報と、オーダ元の診療科の医師からの撮影目的や注意点などのメッセージなどが含まれる。オーダＩＤは、ＲＩＳサーバ３１が診療科端末から撮影オーダを受け付けた際に、ＲＩＳサーバ３１で付与される。
【００４２】
撮影手技とは、撮影部位、撮影方向及び撮影姿勢など、放射線撮影に用いられる撮影手法のことである。手技情報には、頭部、胸部、腹部、手、指等の撮影部位と、正面、側面、斜位、ＰＡ（放射線を被写体の背面から照射）、ＡＰ（放射線を被写体の正面から照射）等の撮影方向と、立位、臥位などの撮影姿勢が含まれる。撮影技師Ｔは、撮影オーダの内容を携帯型コンソール２７で確認して、撮影オーダに適した撮影条件を決定し、決定した撮影条件を放射線画像検出装置２４や放射線発生装置１７に設定する。
【００４３】
画像サーバ３２は、撮影オーダに従って放射線撮影装置１８で撮影された放射線画像などの画像データを管理するサーバである。画像サーバ３２は、撮影オーダの依頼元の診療科端末からもアクセスが可能であり、診療科の医師は、診療科端末を通じて画像サーバ３２にアクセスして撮影された放射線画像を閲覧することができる。
【００４４】
図２において、放射線撮影装置１８の放射線画像検出装置２４、撮影制御装置２６及び携帯型コンソール２７がそれぞれ無線通信部を有しており、相互に無線通信が可能である。放射線撮影装置１８の無線通信部は、例えば、ＩＥＥＥ８０２．１１ｎなどの無線ＬＡＮ規格に準拠したものである。
【００４５】
撮影制御装置２６には、制御部３９と、無線通信部４０が設けられている。制御部３９は、撮影制御装置２６の各部を統括的に制御する。放射線画像検出装置２４及び携帯型コンソール２７には、それぞれ無線通信部４１、４２が設けられている。各無線通信部４１、４２が無線通信部４０に無線接続することにより、撮影制御装置２６を介して、携帯型コンソール２７と放射線画像検出装置２４の間の無線通信が行われる。なお、撮影制御装置２６は、無線通信部４０以外に、線源制御装置２０と接続して同期信号を受信する有線通信部（図示せず）を有している。
【００４６】
携帯型コンソール２７から放射線画像検出装置２４に対しては、撮影制御装置２６を介して、撮影技師Ｔによって携帯型コンソール２７に入力される撮影準備指示などの操作信号を含む制御信号や撮影条件が送信される。放射線画像検出装置２４は、撮影準備指示を受信すると、放射線画像の検出が可能な撮影準備状態（Ｒｅａｄｙ）に移行する。また、放射線画像検出装置２４から携帯型コンソール２７に対しては、撮影制御装置２６を介して、携帯型コンソール２７からの制御信号に対する応答、さらに、放射線画像検出装置２４が検出した放射線画像が送信される。
【００４７】
携帯型コンソール２７は、無線通信部４２がＡＰ１４に無線接続することにより、ＬＡＮ１３に通信可能に接続する。携帯型コンソール２７は、ＬＡＮ１３経由で、ＲＩＳサーバ３１や画像サーバ３２にアクセスする。携帯型コンソール２７は、ＲＩＳサーバ３１にアクセスして撮影オーダを取得し、撮影した放射線画像を画像サーバ３２に送信する。
【００４８】
図３において、放射線画像検出装置２４は、センサパネル４５と、制御基板４６と、バッテリ４７と、無線通信部４１と、これらを収納する扁平な箱型をした可搬型の筐体４８とを有する。筐体４８は例えば導電性樹脂で形成されている。放射線が入射する筐体４８の前面４８ａには矩形状の開口が形成されており、開口には天板として透過板４９が取り付けられている。透過板４９は、軽量で剛性が高く、かつ放射線透過性が高いカーボン材料で形成されている。
【００４９】
バッテリ４７は、電源回路（図示せず）を通じて放射線画像検出装置２４の各部に電力を供給する。バッテリ４７は、筐体４８内から外部に取り出し可能であり、専用の充電器（図示せず）にセットして充電することが可能である。無線通信部４１は、撮影制御装置２６と無線接続され、撮影制御装置２６との間で、前述の制御信号、放射線画像などの各種情報を送受信する。
【００５０】
センサパネル４５は、放射線を可視光に変換するシンチレータ５１と、可視光を電気信号に変換する光電変換部５２とで構成される。シンチレータ５１と光電変換部５２は、放射線の入射側からみて光電変換部５２、シンチレータ５１の順に積層されている。光電変換部５２は、ＴＦＴアクティブマトリクス基板であり、放射線の入射線量に応じた電荷を蓄積する複数の画素が二次元に配列された撮像領域を有している。画素は、フォトダイオード及びＴＦＴで構成される。シンチレータ５１には、ヨウ化セシウムなどの蛍光体が用いられており、撮像領域の全面と対面するように配置される。制御基板４６は、センサパネル４５の光電変換部５２を駆動するゲートドライバや、光電変換部から画像信号を読み出す読み出し回路、読み出した画像信号をデジタルな放射線画像のデータに変換するＡ／Ｄコンバータ、放射線画像を記憶するメモリなどを有する。
【００５１】
放射線画像検出装置２４は、無線通信部４１により通信を行うワイヤレスタイプであり、駆動源としてバッテリ４７を使用するため、通信ケーブルや電源ケーブルを備えていない。そのため、保管や持ち運び、患者Ｐに対するポジショニングなどにおける取り扱い性がよい。
【００５２】
図４に示すように、携帯型コンソール２７は、タッチパネル２７Ａを備えるタブレット型の携帯情報端末をベースに、オペレーティングシステムなどの制御プログラムや、携帯情報端末を携帯型コンソール２７として機能させるためのコンソールアプリケーションプログラム（コンソールアプリケーションと略す）２７Ｂをインストールして構成される。コンソールアプリケーション２７Ｂは、本発明の携帯型コンソールの制御プログラムに相当する。携帯型コンソール２７は、タッチパネル２７Ａの他、ＣＰＵ２７Ｃ、メモリ２７Ｄ、ストレージデバイス２７Ｅ、無線通信部４２を備えており、これらはデータバス２７Ｆを介して接続されている。
【００５３】
タッチパネル２７Ａは、液晶のディスプレイ２７Ｇと、ディスプレイ２７Ｇに対する接触を検出するタッチセンサ２７Ｈとで構成される。ストレージデバイス２７Ｅは、各種データを格納するデバイスであり、例えば、不揮発性メモリで構成される。ストレージデバイス２７Ｅは、制御プログラムや、コンソールアプリケーション２７Ｂの他、ポジショニング時間格納部２７Ｊを格納する。ポジショニング時間格納部２７Ｊは、携帯型コンソール２７により測定されたポジショニング時間を格納する。
【００５４】
メモリ２７Ｄは、ＣＰＵ２７Ｃが処理を実行するためのワークメモリである。ＣＰＵ２７Ｃは、ストレージデバイス２７Ｅに格納された制御プログラムをメモリ２７Ｄへロードして、プログラムに従った処理を実行することにより、携帯情報端末の各部を統括的に制御する。無線通信部４２は、ＡＰ１４や、撮影制御装置２６の無線通信部４０に無線接続するための通信インタフェースである。
【００５５】
図５において、ポジショニング時間格納部２７Ｊは、テーブル形式のデータベースであり、このデータベースの各レコードには、各放射線撮影のオーダＩＤ、技師ＩＤ、手技情報及びポジショニング時間が格納されている。オーダＩＤは、ＲＩＳサーバ３１から取得した撮影オーダから抽出される。技師ＩＤは、個々の撮影技師Ｔを識別するための識別情報であり、例えば、携帯型コンソール２７でコンソールアプリケーション２７Ｂを使用する際に、撮影技師Ｔを識別するために入力される技師ＩＤが利用される。手技情報は、撮影部位、撮影方向及び撮影姿勢など、放射線撮影に使用された撮影手技に関する情報であり、オーダＩＤとともに撮影オーダから抽出される。ポジショニング時間は、撮影技師Ｔによる患者Ｐと放射線撮影システム１０とのポジショニングに要した時間である。より具体的には、ポジショニング時間は、患者Ｐと放射線画像検出装置２４とのポジショニングに要した時間と、患者Ｐ及び放射線画像検出装置２４に対する放射線源１９のポジショニングに要した時間とを合わせた時間である。
【００５６】
ポジショニング時間は、撮影技師Ｔの放射線撮影のスキルを判断する材料として利用される。ポジショニングの巧拙は、撮影技師Ｔの経験によるところが大きく、一般的に撮影スキルの高い撮影技師Ｔはポジショニング時間が短く、撮影スキルの低い撮影技師Ｔはポジショニング時間が長い傾向にある。そのため、ポジショニング時間により、撮影技師Ｔの撮影スキルを定量化することができる。なお、ポジショニングの難易度は、撮影部位、撮影方向及び撮影姿勢などの撮影手技によって異なるため、ポジショニング時間格納部２７Ｊには、ポジショニング時間とともに、そのポジショニング時間を要した放射線撮影の撮影手技に係る手技情報が一緒に登録されている。
【００５７】
なお、図５において、ポジショニング時間格納部２７Ｊには、複数人の撮影技師Ｔのポジショニング時間が格納されているが、携帯型コンソール２７が特定の撮影技師Ｔにしか使用されない場合には、ポジショニング時間格納部２７Ｊには、その特定の撮影技師Ｔのポジショニング時間のみが格納される。
【００５８】
携帯型コンソール２７において、コンソールアプリケーション２７Ｂを起動すると、図６に示すように、ディスプレイ２７Ｇには、ＧＵＩ（Graphical User Interface）による操作画面５５が表示される。操作画面５５は、タッチパネル２７Ａに撮影技師Ｔが指などで接触することにより操作される。
【００５９】
操作画面５５には、患者基本情報表示領域５６、画像表示領域５７、撮影オーダ表示領域５８、操作部表示領域５９が設けられている。撮影オーダ表示領域５８は、ＲＩＳサーバ３１から受信した撮影オーダ６０を表示する領域である。タッチパネル２７Ａの操作により１件の撮影オーダ６０が選択されると、選択された撮影オーダ６０が反転表示して未選択の撮影オーダ６０と識別可能に表示される。そして、患者基本情報表示領域５６には、選択された撮影オーダ６０に対応する患者基本情報（患者名、患者ＩＤ、性別、年齢）が表示される。
【００６０】
なお、携帯型コンソール２７では、操作画面５５の撮影オーダ表示領域５８でいずれかの撮影オーダ６０が選択された場合に、撮影技師Ｔによる放射線撮影の準備作業が開始されると判断し、撮影技師Ｔによるポジショニング時間の測定を開始する。
【００６１】
また、撮影オーダ表示領域５８には、新着の撮影オーダを受信したことを表示する新着インジケータ６２が設けられている。新着インジケータ６２には、新着の撮影オーダの件数が表示される。撮影技師Ｔは、この表示により、新規の撮影オーダや追加の撮影オーダの有無を確認することができる。新着の撮影オーダ６０をタッチパネル２７Ａによって選択するなどして、確認が終了すると、新着インジケータ６２の表示が消える。
【００６２】
画像表示領域５７は、撮影後に放射線画像検出装置２４から送信された放射線画像を表示する領域である。図６において、画像表示領域５７は、放射線画像が表示された状態で示しているが、撮影前の状態では、画像表示領域５７には何も表示されない。画像表示領域５７に放射線画像が表示されることにより、撮影直後に線画像を確認することができる。撮影技師Ｔは、画像表示領域５７の放射線画像を見て撮影が適切に行われたか否かを確認する。また、撮影オーダ表示領域５８において撮影済みの撮影オーダ６０が選択された場合には、選択された撮影オーダ６０に対応する放射線画像が画像表示領域５７に表示される。
【００６３】
操作部表示領域５９には、設定ボタン６４、撮影準備指示ボタン６５、Ｒｅａｄｙインジケータ６６、オーダ取得ボタン６７が設けられている。設定ボタン６４は、撮影条件や放射線画像検出装置２４の各種の設定を行うためのボタンである。設定ボタン６４がタッチパネル２７Ａで選択されると、設定画面が表示される。
【００６４】
撮影準備指示ボタン６５は、放射線画像検出装置２４に対し撮影準備指示を送信するための操作ボタンである。撮影準備指示ボタン６５の操作により、携帯型コンソール２７から放射線画像検出装置２４に対して撮影準備指示が送信される。放射線画像検出装置２４は、撮影準備指示を受信すると、光電変換部５２において電荷蓄積可能な撮影準備状態への移行処理を行って、移行が完了した場合には、応答として移行完了信号を携帯型コンソール２７に送信する。Ｒｅａｄｙインジケータ６６は、携帯型コンソール２７が移行完了信号を受信すると点灯する。撮影技師Ｔは、Ｒｅａｄｙインジケータ６６の点灯により放射線画像検出装置２４が撮影準備状態にあることを確認することができる。
【００６５】
オーダ取得ボタン６７は、ＲＩＳサーバ３１にアクセスして撮影オーダを取得するためのボタンである。オーダ取得ボタン６７が操作されると、ＲＩＳサーバ３１に対して撮影オーダ配信要求が送信される。未取得の撮影オーダがある場合には、ＲＩＳサーバ３１から撮影オーダが配信される。
【００６６】
図７に示すように、携帯型コンソール２７の無線通信部４２は、アンテナ４２Ａ、変復調回路４２Ｂ、伝送制御部４２Ｃなどで構成されている。変復調回路４２Ｂは、送信するデータを搬送波（キャリア）に載せる変調と、アンテナ４２Ａで受信した搬送波（キャリア）からデータを取り出す復調を行う。
【００６７】
伝送制御部４２Ｃは、無線ＬＡＮ規格に準拠した伝送制御を行う。具体的には、ＴＣＰ（Transmission Control Protocol）／ＩＰ（Internet Protocol）に準拠した通信プロトコルや、ＩＥＥＥ８０２．１１ｎに準拠した通信プロトコルに従って伝送制御を行う。ＯＳＩ（Open Systems Interconnection）参照モデルに示されるように、通信プロトコルは、階層化されており、階層が異なる複数の通信プロトコルを組み合わせて使用される。ＴＣＰ／ＩＰは、有線ＬＡＮにおいても使用される通信プロトコルであり、無線ＬＡＮ規格においても、上位層の通信プロトコルとして使用される。ＩＥＥＥ８０２．１１ｎは、ＴＣＰ／ＩＰの下位層に位置する通信プロトコルであり、無線特有の通信手順を規定している。ＩＥＥＥ８０２．１１ｎでは、２．４ＧＨｚ帯又は５ＧＨｚ帯の周波数帯域の電波を無線通信チャンネルとして使用することが可能である。
【００６８】
なお、ＡＰ１４の他、放射線画像検出装置２４及び撮影制御装置２６の無線通信部４０、４１も、無線通信部４２と同様の構成である。
【００６９】
無線通信は、有線通信と異なり物理的に接続される通信ケーブルが存在しないため、無線通信部４２は、ＡＰ１４との間で論理的な接続を行うことが必要である。以下、無線通信部４２が実行する、ＩＥＥＥ８０２．１１ｎ規格に準拠した接続や通信の手順を説明する。
【００７０】
図８に示すように、携帯型コンソール２７の無線通信部４２とＡＰ１４の接続シーケンスにおいて、まず、ＡＰ１４は、起動中、所定時間間隔（約１００msec間隔）でビーコン信号（図７のＢＳ参照）と呼ばれる電波を発信している。ビーコン信号は、ＡＰ１４の周囲に存在する、携帯型コンソール２７などの無線端末に対して、ＡＰ１４の存在を通知するための信号である。携帯型コンソール２７において、無線通信部４２は、起動中、ビーコン信号の有無を常時監視している。そのため、無線通信部４２は、ＡＰ１４のビーコン信号が到達する範囲内にある場合は、ビーコン信号を常時受信することができる。
【００７１】
ビーコン信号には、ＳＳＩＤ（Service Set Identifier）やＥＳＳＩＤ（Extended Service Set Identifier）などのネットワーク識別子が含まれている。ネットワーク識別子は、各ＡＰ１４や、それらを含むネットワークを、携帯型コンソール２７などの無線端末が識別するための識別情報である。
【００７２】
携帯型コンソール２７には、医療施設内の各ＡＰ１４のネットワーク識別子が設定されており、各ＡＰ１４に接続することが可能である。無線通信部４２は、ビーコン信号を受信すると、ＡＰ１４に対して接続要求を送信する。ＡＰ１４では接続要求の要求元の携帯型コンソール２７に対して認証を行う。そのため、携帯型コンソール２７は、接続要求にパスワードなどの認証情報を含めてＡＰ１４に送信する。
【００７３】
ＡＰ１４は、接続要求を受信すると、受信したパスワードと予め設定されたパスワードを照合することにより認証を行って、パスワードが一致した場合には、携帯型コンソール２７に対して許可応答を送信する。許可応答には、携帯型コンソール２７に割り当てるＩＰ（Internet Protocol）アドレスなどが含まれている。携帯型コンソール２７が許可応答を受信すると、論理的な通信リンクが確立されて、携帯型コンソール２７とＡＰ１４が論理的に接続する。
【００７４】
この接続により、携帯型コンソール２７には、ＡＰ１４からＩＰアドレスの割り当てが行われる。携帯型コンソール２７は、ＡＰ１４経由でＬＡＮ１３に接続して、ＲＩＳサーバ３１や画像サーバ３２にアクセスすることが可能となる。ＩＰアドレスに基づく上位の通信手順は、ＴＣＰ／ＩＰで規定された手順で行われる。
【００７５】
ＡＰ１４は、携帯型コンソール２７との接続後も、ビーコン信号の発信を続ける。携帯型コンソール２７は、ＡＰ１４からのビーコン信号を受信できている間、ＡＰ１４との接続を継続し、携帯型コンソール２７がビーコン信号を受信できなくなった時点で終了する。携帯型コンソール２７がビーコン信号を受信できなくなる場合とは、例えば、携帯型コンソール２７が、ＡＰ１４のビーコン信号の到達範囲内から範囲外に出てしまった場合である。携帯型コンソール２７が、再びビーコン信号の到達範囲に入ってビーコン信号の受信が可能となった場合には、再接続が行われる。
【００７６】
また、携帯型コンソール２７において、無線通信部４２は、複数のＡＰ１４からのビーコン信号を受信している場合において、電波強度が高いＡＰ１４に自動的に接続先を切り替えるローミング機能を有している。
【００７７】
図９に示すように、例えば、携帯型コンソール２７が、撮影室Ｒ１の第１ＡＰ１４ａ（ＩＤ＝Ｒ１）と、操作室Ｒ２の第２ＡＰ１４ｂ（ＩＤ＝Ｒ２）から、それぞれビーコン信号を受信している場合において、無線通信部４２は、第１ＡＰ１４ａ、第２ＡＰ１４ｂのビーコン信号の電波強度に基づいて、第１ＡＰ１４ａ、第２ＡＰ１４ｂのうち電波強度が高い方のＡＰに接続する。符号ＣＲ１、ＣＲ２は、第１ＡＰ１４ａ、第２ＡＰ１４ｂのそれぞれの電波の到達範囲である通信セルである。各通信セルＣＲ１、ＣＲ２において、ＡＰからの距離が遠いほど、電波は減衰するため、電波強度も弱くなる。具体的には、通信セルＣＲ１内において、第１ＡＰ１４ａからの距離が近い領域ＣＲ１Ａの方が、第１ＡＰ１４ａからの距離が遠い領域ＣＲ１Ｂと比較して、電波強度は強い。同様に、通信セルＣＲ２内においても、領域ＣＲ２Ａの方が、ＣＲ２Ｂよりも、電波強度は強い。
【００７８】
まず、操作室Ｒ２において、携帯型コンソール２７が通信セルＣＲ２の領域ＣＲ２Ａ内に有り、第２ＡＰ１４ｂに接続しているとする。通信セルＣＲ１と通信セルＣＲ２は一部重なっている。そして、撮影技師Ｔが携帯型コンソール２７を携帯して操作室Ｒ２から撮影室Ｒ１に移動する場合には、無線通信部４２は、領域ＣＲ２Ａと領域ＣＲ１Ｂが重複する領域を通って、領域ＣＲ２Ｂと領域ＣＲ１Ａが重複する領域に移動する。無線通信部４２は、操作室Ｒ２から撮影室Ｒ１へ移動中も、通信セルＣＲ２と通信セルＣＲ１が重複する領域において、各ＡＰからのビーコン信号の電波強度の比較を行う。無線通信部４２の移動に伴って、電波強度が高い方のＡＰ１４は、現在接続中の第２ＡＰ１４ｂから、第１ＡＰ１４ａに変化するので、無線通信部４２のローミングが機能すれば、移動途中において領域ＣＲ１Ａに入った段階で、接続先が第１ＡＰ１４ａに切り替わる。
【００７９】
図７に示すように、携帯型コンソール２７のＣＰＵ２７Ｃは、コンソールアプリケーション１７Ｂを起動すると、メモリ２７Ｄなどと協働することにより、配信要求部７０、入退室時刻検出部７１、在室時間算出部７２、撮影スキル分析部７３、分析結果表示制御部７４として機能する。
【００８０】
配信要求部７０は、無線通信部４２の接続先が適切なＡＰ１４に切り替えられた場合、または操作画面５５でオーダ取得ボタン６７が操作された場合に、撮影オーダの配信要求を送信する。撮影オーダの配信要求は、ＡＰ１４、ＬＡＮ１３を経由してＲＩＳサーバ３１に送信される。ＲＩＳサーバ３１は、撮影オーダ配信要求を受信すると、携帯型コンソール２７が未取得の撮影オーダが有るか否かを調べて、未取得の撮影オーダが有る場合には、送信元のＡＰ１４経由で撮影オーダを配信する。
【００８１】
入退室時刻検出部７１及び在室時間算出部７２は、放射線撮影の準備作業中に、撮影技師Ｔのポジショニング時間を測定する。具体的には、入退室時刻検出部７１及び在室時間算出部７２は、撮影技師Ｔのポジショニング時間として、放射線撮影の準備作業中に、撮影技師Ｔが撮影室Ｒ１に在室していた時間をポジショニング時間として測定する。放射線撮影の検査業務におけるワークフローを分析したところ、放射線撮影の準備作業中に撮影室Ｒ１に在室している撮影技師Ｔは、そのほとんどの時間をポジショニングに費やしていることが分かっている。したがって、放射線撮影の準備作業中に撮影技師Ｔが撮影室Ｒ１に在室している時間を測定すれば、撮影技師Ｔのポジショニング時間を特定することができる。
【００８２】
入退室時刻検出部７１は、撮影技師Ｔの撮影室Ｒ１での在室時間を測定するために、撮影技師Ｔが携帯型コンソール２７を携帯した状態で撮影室Ｒ１に入室した時刻と、撮影室Ｒ１から退室した時刻とを検出する。また、入退室時刻検出部７１は、操作画面５５の撮影オーダ表示領域５８で次に撮影される撮影オーダ６０が選択された場合に、放射線撮影の撮影準備が開始されたものと特定して、入退室時刻の検出を開始する。
【００８３】
入退室時刻検出部７１には、無線通信部４２がローミング機能によって接続先のＡＰ１４を切り替える毎に、無線通信部４２から新たに接続したＡＰ１４の識別情報であるネットワーク識別子（例えばＳＳＩＤ）が入力される。入退室時刻検出部７１は、無線通信部４２から入力されたＳＳＩＤに基づいて撮影技師Ｔの現在位置を特定し、無線通信部４２の接続先のＡＰ１４が切り替わった場合には、切り替わり先のＡＰ１４から受信したＳＳＩＤに基づいて撮影技師Ｔが移動した位置を検出することにより、その移動時刻を撮影室Ｒ１への入室時刻及び退室時刻として検出する。
【００８４】
例えば、図１０に示すように、放射線撮影の準備作業の開始時（入退室時刻の検出開始時）に、無線通信部４２が操作室Ｒ２の第２ＡＰ１４ｂと接続している場合には、入退室時刻検出部７１は、撮影技師Ｔは操作室Ｒ２に在室していると判定し、撮影技師Ｔが撮影室Ｒ１に移動するのを待機する。入退室時刻検出部７１は、撮影技師Ｔが携帯型コンソール２７を携帯した状態で操作室Ｒ２から撮影室Ｒ１に移動し、無線通信部４２の接続先が操作室Ｒ２の第２ＡＰ１４ｂから撮影室Ｒ１の第１ＡＰ１４ａに切り替わり、第１ＡＰ１４ａから無線通信部４２にＳＳＩＤが送信された場合に、その送信時刻を撮影室Ｒ１への入室時刻とする。また、入退室時刻検出部７１は、撮影技師Ｔが携帯型コンソール２７を携帯した状態で撮影室Ｒ１から操作室Ｒ２に移動し、無線通信部４２の接続先が撮影室Ｒ１の第１ＡＰ１４ａから操作室Ｒ２の第２ＡＰ１４ｂに切り替わり、第２ＡＰ１４ｂから無線通信部４２にＳＳＩＤが送信された場合に、その送信時刻を撮影室Ｒ１からの退室時刻とする。
【００８５】
また、図１１に示すように、放射線撮影の準備作業の開始時に、無線通信部４２が撮影室Ｒ１の第１ＡＰ１４ａと接続している場合には、入退室時刻検出部７１は、撮影技師Ｔは既に撮影室Ｒ１に在室していると判定し、準備作業の開始時刻を撮影室Ｒ１への入室時刻として設定する。また、入退室時刻検出部７１は、撮影技師Ｔが携帯型コンソール２７を携帯した状態で撮影室Ｒ１から操作室Ｒ２に移動し、無線通信部４２の接続先が撮影室Ｒ１の第１ＡＰ１４ａから操作室Ｒ２の第２ＡＰ１４ｂに切り替わり、第２ＡＰ１４ｂから無線通信部４２にＳＳＩＤが送信された場合に、その送信時刻を撮影室Ｒ１からの退室時刻とする。このように、入退室時刻検出部７１は、放射線撮影の準備作業の開始時の撮影技師Ｔの位置に応じて、撮影技師Ｔの撮影室Ｒ１に対する入退室時刻を検出する。
【００８６】
在室時間算出部７２は、入退室時刻検出部７１で検出された退室時刻から入室時刻を減算し、撮影技師Ｔが撮影室Ｒ１にいた在室時間を算出する。上述したように、放射線撮影の準備作業中に撮影室Ｒ１に在室している撮影技師Ｔは、そのほとんどの時間をポジショニングに費やしているため、在室時間算出部７２で算出した在室時間をポジショニング時間として特定することができる。
【００８７】
なお、放射線撮影の一般的なワークフローでは、撮影技師Ｔは、患者Ｐと放射線撮影システム１０とのポジショニングを終えて撮影室Ｒ１から操作室Ｒ２に移動した後、操作室Ｒ２から撮影室Ｒ１を覗いて患者Ｐの状態を確認し、患者Ｐが身動きしてポジショニングにずれが生じている場合には、撮影室Ｒ１に戻ってポジショニングをやり直す。ポジショニングのやり直しが行われた場合、図１２に示すように、入退室時刻検出部７１により、撮影室Ｒ１への複数回の入室時刻及び退室時刻が検出され、複数の在室時間、例えば在室時間Ａ及び在室時間Ｂが生じる。このような場合、在室時間算出部７２は、複数の在室時間の積算値をポジショニング時間とする。したがって、ポジショニングのやり直しを含めた正確なポジショニング時間を算出することができる。
【００８８】
在室時間算出部７２で算出された在室時間は、撮影オーダから抽出されたオーダＩＤ及び手技情報とともにポジショニング時間格納部２７Ｊに格納される。
【００８９】
撮影スキル分析部７３は、携帯型コンソール２７で撮影スキルの分析が指示された場合に、ポジショニング時間格納部２７Ｊからポジショニング時間を読み出し、読み出したポジショニング時間に基づき、撮影技師Ｔの撮影スキルを分析する。具体的には、撮影スキルの分析指示は、例えば撮影技師Ｔの技師ＩＤや、撮影技師Ｔの氏名とともに指示される。撮影スキル分析部７３は、指示された撮影技師Ｔのポジショニング時間をポジショニング時間格納部２７Ｊから読み出し、読み出したポジショニング時間に基づき、撮影手技毎に平均ポジショニング時間を算出し、撮影手技毎あるいは患者Ｐの年代毎の撮影件数を算出するなどのスキル分析を行う。
【００９０】
分析結果表示制御部７４は、撮影スキル分析部７３の分析結果を表示する分析結果表示画面を作成し、ディスプレイ２７Ｇに表示させる。図１３に示すように、分析結果表示画面７７には、例えば、平均ポジショニング時間比較グラフ７８、手技別件数比較グラフ７９、年代別件数比較グラフ８０などが表示される。撮影技師Ｔは、分析結果表示画面７７の各グラフ７８〜８０に基づいて自身の撮影スキルを把握し、研修や自己研鑚などの目標とすることができる。
【００９１】
上記構成によるポジショニング時間の測定と、ポジショニング時間に基づく撮影スキル分析の作用について、図１４〜１６に示すフローチャートに従って説明する。撮影技師Ｔは、放射線撮影の作業中は、携帯型コンソール２７を常に携帯している。撮影技師Ｔは、撮影室Ｒ１または操作室Ｒ２（図１参照）などで携帯型コンソール２７のコンソールアプリケーション２７Ｂ（図４参照）を起動させ、携帯型コンソール２７を第１ＡＰ１４ａまたは第２ＡＰ１４ｂ、及びＬＡＮ１３を介してＲＩＳサーバ３１に接続する。
【００９２】
撮影技師Ｔは、携帯型コンソール２７の操作画面５５（図６参照）において、オーダ取得ボタン６７を操作する。オーダ取得ボタン６７が操作されると、携帯型コンソール２７からＲＩＳサーバ３１に撮影オーダ配信要求が送信される。ＲＩＳサーバ３１は、撮影オーダ配信要求を受信すると、携帯型コンソール２７が未取得の撮影オーダを配信する。これにより、携帯型コンソール２７では、撮影予定の撮影オーダが取得される。撮影技師Ｔは、携帯型コンソール２７の操作画面５５で受信した撮影オーダを確認し、撮影オーダ表示領域５８から、放射線撮影を開始する撮影オーダ６０を選択する。
【００９３】
撮影技師Ｔは、選択した撮影オーダ６０において検査対象とされている患者Ｐを待合室から呼び出し、患者Ｐとともに、ドアＲ２ａ及びドアＲ１ａを通って撮影室Ｒ１に入室する。撮影技師Ｔは、撮影室Ｒ１において、放射線撮影の準備作業を開始する。この準備作業では、患者Ｐと放射線撮影システム１０とのポジショニングと、放射線発生装置１７及び放射線画像検出装置２４に対する撮影条件の設定と、放射線画像検出装置２４に対する撮影準備指示とが行われる。患者Ｐと放射線撮影システム１０とのポジショニングでは、患者Ｐと放射線画像検出装置２４とのポジショニングと、患者Ｐ及び放射線画像検出装置２４に対する放射線源１９のポジショニングが行われる。撮影技師Ｔは、ポジショニングを含む準備作業の完了後、撮影室Ｒ１から操作室Ｒ２に移動する。
【００９４】
図１４において、撮影技師Ｔにより、携帯型コンソール２７の操作画面５５で撮影オーダ６０が選択されると（Ｓ１０）、携帯型コンソール２７の入退室時刻検出部７１（図７参照）は、放射線撮影の準備作業が開始されると判断して、入退室時刻の検出を開始する（Ｓ１１）。
【００９５】
図１５において、入退室時刻検出部７１は、無線通信部４２から入力されたＡＰ１４のＳＳＩＤに基づき、撮影技師Ｔの現在位置を検出する（Ｓ２０）。入退室時刻検出部７１は、撮影技師Ｔが操作室Ｒ２に在室していると判定した場合（Ｓ２１でＮＯ）、撮影技師Ｔが撮影室Ｒ１に移動するのを待機する（Ｓ２２）。入退室時刻検出部７１は、撮影技師Ｔが携帯型コンソール２７を携帯した状態で操作室Ｒ２から撮影室Ｒ１に移動し、無線通信部４２の接続先が操作室Ｒ２の第２ＡＰ１４ｂから撮影室Ｒ１の第１ＡＰ１４ａに切り替わり、第１ＡＰ１４ａから無線通信部４２にＳＳＩＤが送信された場合に（Ｓ２２でＹＥＳ）、その送信時刻を撮影室Ｒ１への入室時刻として検出する（Ｓ２３）。また、入退室時刻検出部７１は、撮影技師Ｔが携帯型コンソール２７を携帯した状態で撮影室Ｒ１から操作室Ｒ２に移動し、無線通信部４２の接続先が撮影室Ｒ１の第１ＡＰ１４ａから操作室Ｒ２の第２ＡＰ１４ｂに切り替わり、第２ＡＰ１４ｂから無線通信部４２にＳＳＩＤが送信された場合には（Ｓ２４でＹＥＳ）、その送信時刻を撮影室Ｒ１からの退室時刻として検出する（Ｓ２５）。
【００９６】
また、放射線撮影の準備作業の開始時に、撮影技師Ｔが既に撮影室Ｒ１に在室していると判定した場合には（Ｓ２１でＹＥＳ）、入退室時刻検出部７１は、準備作業の開始時刻を撮影室Ｒ１への入室時刻として設定する（Ｓ２６）。撮影技師Ｔの撮影室Ｒ１からの退室時刻は、ステップＳ２４、２５を用いて同様に検出される。
【００９７】
図１４において、在室時間算出部７２は、入退室時刻検出部７１で検出された退室時刻から入室時刻を減算し、撮影技師Ｔが撮影室Ｒ１にいた在室時間を算出する（Ｓ１２）。在室時間算出部７２で算出された在室時間は、撮影オーダから抽出されたオーダＩＤ及び手技情報とともにポジショニング時間格納部２７Ｊに格納される（Ｓ１３）。
【００９８】
ポジショニングを含む準備作業を終えて操作室Ｒ２に移動した撮影技師Ｔは、放射線画像検出装置２４が撮影準備状態（Ｒｅａｄｙ）に移行したことを、操作画面５５のＲｅａｄｙインジケータ６６で確認する。その後、撮影室Ｒ１内を覗いて患者Ｐの体勢が適切であることを確認してから、撮影室Ｒ１と操作室Ｒ２との間のドアＲ１ａを閉じ、操作室Ｒ２において照射スイッチ２１を操作して、放射線撮影の開始を指示する。照射スイッチ２１が操作されると、放射線源１９は放射線の照射を開始する。
【００９９】
線源制御装置２０は、照射スイッチ２１が操作されると、撮影制御装置２６に同期信号を送信する。撮影制御装置２６は、受信した同期信号を放射線画像検出装置２４に送信する。放射線画像検出装置２４では、放射線源１９による放射線の照射に同期して、センサパネル４５が蓄積動作に移行して、画像検出が行われる。
【０１００】
放射線源１９は、照射時間が経過すると放射線の照射を終了する。放射線画像検出装置２４は、照射時間の経過後に蓄積動作を終了して、放射線画像の読み出しを行う。読み出された放射線画像は、無線通信部４１から、撮影制御装置２６を介して携帯型コンソール２７へ送信される。携帯型コンソール２７は、無線通信部４２で放射線画像を受信する。撮影技師Ｔは、携帯型コンソール２７で受信した放射線画像を確認する。確認された放射線画像は、携帯型コンソール２７から画像サーバ３２に送信される。これにより、１回の撮影が終了する。
【０１０１】
図１６において、撮影技師Ｔは、検査業務の時間外に携帯型コンソール２７を操作して、自身の撮影スキルの分析を指示する（Ｓ３０）。撮影スキル分析部７３（図７参照）は、携帯型コンソール２７で撮影スキルの分析が指示された場合に、ポジショニング時間格納部２７Ｊからポジショニング時間を読み出し（Ｓ３１）、読み出したポジショニング時間に基づき、撮影手技毎の平均ポジショニング時間を算出し、撮影手技毎あるいは患者Ｐの年代毎の撮影件数を算出するなどのスキル分析を行う（Ｓ３２）。
【０１０２】
分析結果表示制御部７４は、撮影スキル分析部７３の分析結果に基づいて分析結果表示画面７７（図１３参照）を作成し、ディスプレイ２７Ｇに表示させる（Ｓ３３）。分析結果表示画面７７には、例えば、平均ポジショニング時間比較グラフ７８、手技別件数比較グラフ７９、年代別件数比較グラフ８０などが表示される。撮影技師Ｔは、分析結果表示画面７７の各グラフ７８〜８０に基づいて自身の撮影スキルを把握し、研修や自己研鑚などの目標とすることができる。
【０１０３】
以上で説明したように、入退室時刻検出部７１は、無線通信部４２から入力されたＡＰ１４のＳＳＩＤに基づいて、放射線撮影の準備作業中における、撮影技師Ｔの撮影室Ｒ１への入室時刻と退室時刻とを検出する。在室時間算出部７２は、入退室時刻検出部７１で検出された入室時刻及び退室時刻に基づき、撮影技師Ｔの撮影室Ｒ１の在室時間を算出する。算出された在室時間は、撮影技師Ｔのポジショニング時間として、手技情報とともにポジショニング時間格納部２７Ｊに格納される。放射線撮影の準備作業中に撮影室Ｒ１に在室している撮影技師Ｔは、そのほとんどの時間をポジショニングに費やしていることが分かっている。また、撮影技師Ｔのポジショニング時間により、撮影技師Ｔの撮影スキルを定量化して適正に評価することができる。したがって、撮影技師Ｔの正確なスキル評価に基づき、撮影技師Ｔの教育などを行うことができるので、放射線撮影の検査業務の効率を改善することができる。
【０１０４】
また、撮影室Ｒ１に対する撮影技師Ｔの入退室時刻は、携帯型コンソール２７の無線通信部４２と、ＡＰ１４との接続切り替えに基づいて行うことができるので、ＬＡＮ１３及びＡＰ１４などからなる通信ネットワークを構築している医療施設であれば、従来のワークフロー分析レポート作成システムのような大掛かりなシステムを導入しなくても、ポジショニング時間の測定を行うことができる。
【０１０５】
さらに、撮影スキル分析部７３により、測定したポジショニング時間に基づいて、撮影技師Ｔの撮影スキルを分析し、分析結果表示制御部７４により、分析結果表示画面７７をディスプレイ２７Ｇに表示することができるので、撮影技師Ｔは、容易に自身の撮影スキルを把握し、研修や自己研鑚などの目標とすることができるので、撮影技師Ｔのスキル向上を図ることができる。また、撮影技師Ｔのスキル向上により、検査業務の効率も改善する。
【０１０６】
以下、本発明の第２〜第６実施形態について説明する。なお、第１実施形態と同じ構成については同符号を使用し、詳しい説明は省略する。
【０１０７】
［第２実施形態］
第１実施形態では、撮影室Ｒ１及び操作室Ｒ２の双方にＡＰ１４が設置されている例について説明したが、医療施設によっては、撮影室Ｒ１と操作室Ｒ２とのいずれか一方にのみＡＰ１４が設置されている場合もある。このような場合、撮影技師Ｔが携帯型コンソール２７を携帯して撮影室Ｒ１に入退室しても、無線通信部４２のローミング機能によるＡＰ１４との接続切り替えがなされないため、ＡＰ１４のＳＳＩＤに基づく入退室時刻の検出を行うことはできない。本実施形態は、撮影室Ｒ１と操作室Ｒ２とのいずれか一方のみにＡＰ１４が設置されている場合でも、撮影室Ｒ１に対する撮影技師Ｔの入退室時刻を検出できるようにする。
【０１０８】
図１７に示すように、本実施形態の携帯型コンソール８５は、無線通信部４２とＡＰ１４との間で通信が行われる際の電波強度を、電波強度測定機能を有する入退室時刻検出部８６によって測定し、その測定結果に基づいて、撮影室Ｒ１に対する撮影技師Ｔの入退室時刻を検出する。
【０１０９】
図１８は、撮影室Ｒ１にのみＡＰ１４が設置されている状態を示している。符号ＣＲ１、は、ＡＰ１４の電波の到達範囲である通信セルである。通信セルＣＲ１において、ＡＰ１４からの距離が遠いほど、電波は減衰するため、電波強度も弱くなる。したがって、通信セルＣＲ１内において、ＡＰ１４からの距離が近い撮影室Ｒ１内の通信セルＣＲ１Ａは、ＡＰ１４からの距離が遠い操作室Ｒ２内の通信セルはＣＲ１Ｂに比べて、電波強度は強くなる。したがって、携帯型コンソール８５が撮影室Ｒ１内にあるときと、撮影室Ｒ１外にあるときを識別可能な電波強度のしきい値を予め設定しておき、入退室時刻検出部８６により、測定した電波強度としきい値とを比較すれば、携帯型コンソール８５を携帯した撮影技師Ｔが撮影室Ｒ１に対して入室及び退室した時刻を検出することができる。この場合、測定した電波強度がしきい値よりも弱い場合には、撮影技師Ｔは操作室Ｒ２にいると判定でき、測定した電波強度がしきい値よりも強い場合には、撮影技師Ｔは撮影室Ｒ１にいると判定することができる。
【０１１０】
図１８において、撮影室Ｒ１にのみＡＰ１４が設置されている例を示したが、操作室Ｒ２にのみＡＰ１４が設置されている場合でも、同様にＡＰ１４と無線通信部４２との通信時の電波強度と、予め設定したしきい値を比較することにより、撮影室Ｒ１に対する撮影技師Ｔの入退室時刻を検出することができる。この場合、測定した電波強度がしきい値よりも強い場合には、撮影技師Ｔは操作室Ｒ２にいると判定でき、測定した電波強度がしきい値よりも弱い場合には、撮影技師Ｔは撮影室Ｒ１にいると判定することができる。
【０１１１】
以上で説明したように、本実施形態によれば、撮影室Ｒ１と操作室Ｒ２とのいずれか一方にのみＡＰ１４が設置されている場合でも、撮影室Ｒ１に対する撮影技師Ｔの入退室時刻を検出することができるので、撮影技師Ｔのポジショニング時間を表す撮影室Ｒ１の在室時間を測定することができる。
【０１１２】
［第３実施形態］
第１実施形態では、撮影室Ｒ１に対する撮影技師Ｔの入退室時刻の検出に利用する無線通信装置として無線中継器であるＡＰ１４を使用したが、医療施設によっては、撮影室Ｒ１及び操作室Ｒ２にＡＰ１４が設置されていない場合もある。このような場合には、ＡＰ１４に代わる無線通信装置として、無線通信タグを利用してもよい。無線通信タグは、周知のように、識別情報などを含む無線電波を発信するタグ状の無線通信装置である。
【０１１３】
図１９に示すように、本実施形態では、撮影室Ｒ１及び操作室Ｒ２内に、設置場所を表す識別信号を無線電波で発信する第１無線通信タグ９０Ａ及び第２無線通信タグ９０Ｂが設置されている。第１無線通信タグ９０Ａ及び第２無線通信タグ９０Ｂの設置場所は、無線電波の到達距離に応じて選択することができ、撮影室Ｒ１及び操作室Ｒ２の壁面や天井、撮影室Ｒ１及び操作室Ｒ２内に設置されている装置、例えば放射線画像検出装置２４や撮影台２５などに取り付けてもよい。
【０１１４】
図２０に示すように、本実施形態の携帯型コンソール９１には、撮影室Ｒ１に対する撮影技師Ｔの入退室時刻の検出に利用する無線通信部として、タグリーダ９２が設けられている。タグリーダ９２は、第１無線通信タグ９０Ａ及び第２無線通信タグ９０Ｂから発信されている無線電波を受信し、この無線電波に含まれる識別信号を入退室時刻検出部９３に入力する。入退室時刻検出部９３は、第１実施形態の入退室時刻検出部７１と同様に、タグリーダ９２が第１無線通信タグ９０Ａ及び第２無線通信タグ９０Ｂから無線電波を受信した時刻に基づき、撮影室Ｒ１に対する撮影技師Ｔの入退室時刻を検出する。
【０１１５】
具体的には、入退室時刻検出部９３は、タグリーダ９２が第１無線通信タグ９０Ａから無線電波を受信した場合に、無線電波の受信時刻と、無線電波に含まれる識別情報とに基づいて、撮影技師Ｔが撮影室Ｒ１入室した時刻を検出する。また、タグリーダ９２が第２無線通信タグ９０Ｂから無線電波を受信した場合には、入退室時刻検出部９３は、無線電波の受信時刻と、無線電波に含まれる識別情報とに基づいて、撮影技師Ｔが撮影室Ｒ１から退室した時刻を検出する。
【０１１６】
以上で説明したように、本実施形態によれば、撮影室Ｒ１及び操作室Ｒ２のいずれにもＡＰ１４が設置されていない場合でも、撮影室Ｒ１に対する撮影技師Ｔの入退室時刻を検出することができるので、撮影技師Ｔのポジショニング時間を表す撮影室Ｒ１の在室時間を測定することができる。
【０１１７】
［第４実施形態］
第３実施形態では、撮影室Ｒ１及び操作室Ｒ２のいずれにもＡＰ１４が設置していない場合に、無線通信タグ９０Ａ、９０Ｂ及びタグリーダ９２を用いたが、携帯型コンソールとして使用する携帯情報端末が標準的に備えているＧＰＳ（Global Positioning System）機能を利用して、撮影室Ｒ１に対する撮影技師Ｔの入退室時刻を検出してもよい。
【０１１８】
図２１に示すように、本実施形態の携帯型コンソール９５は、ＧＰＳ受信部９６を標準的に備えている。ＧＰＳ受信部９６は、ＧＰＳ衛星９７からのＧＰＳ信号を受信し、ＧＰＳ信号に基づき現在位置を表す測定座標を算出する。ＧＰＳ受信部９６で算出された測定座標は、入退室時刻検出部９８に入力される。入退室時刻検出部９８は、予め撮影室Ｒ１及び操作室Ｒ２の位置座標を記憶しており、この位置座標と、ＧＰＳ受信部９６で算出された測定座標とを比較することによって、携帯型コンソール９５を携帯する撮影技師Ｔの現在位置を特定することができる。したがって、ＧＰＳ受信部９６がＧＰＳ衛星からＧＰＳ信号を受信した時刻と、この時刻に受信したＧＰＳ信号で表される位置とを用いれば、撮影室Ｒ１に対する撮影技師Ｔの入退室時刻を検出することができる。
【０１１９】
以上で説明したように、本実施形態によれば、撮影室Ｒ１及び操作室Ｒ２のいずれにもＡＰ１４が設置されていない場合でも、携帯情報端末が標準的に備えるＧＰＳ機能を用いて撮影室Ｒ１に対する撮影技師Ｔの入退室時刻を検出することができるので、撮影技師Ｔのポジショニング時間を表す撮影室Ｒ１の在室時間を測定することができる。
【０１２０】
［第５実施形態］
第１実施形態では、携帯型コンソール２７の入退室時刻検出部７１及び在室時間算出部７２で、撮影技師Ｔのポジショニング時間を表す撮影室Ｒ１の在室時間を測定したが、放射線撮影システムがポジショニング時間を測定する機能を有する場合には、放射線撮影システムが測定したポジショニング時間を取得して、ポジショニング時間格納部２７Ｊに格納するようにしてもよい。
【０１２１】
図２２に示すように、本実施形態の放射線撮影システム１００は、撮影技師Ｔによるポジショニング時間を測定するポジショニング時間測定部１０１を備えている。ポジショニング時間測定部１０１としては、例えば、放射線画像検出装置２４に内蔵されて、患者Ｐとの相対移動を検出する相対移動検出センサと、相対移動検出センサから出力される検出信号のうち、ポジショニングの開始と終了とを表す検出信号の時間間隔に基づいてポジショニング時間を算出する算出部とを用いることができる。相対移動検出センサとしては、ジャイロや加速度センサなどの移動センサを用いることができる。また、移動センサに代えて、患者Ｐによって放射線画像検出装置２４に加えられた圧力を検出する圧力センサや、患者Ｐとの接触による放射線画像検出装置２４の温度変化を測定する温度センサを用いてもよいし、移動センサ、圧力センサ及び温度センサを適宜組み合わせてもよい。
【０１２２】
また、ポジショニング時間測定部１０１として、放射線源１９の移動を検出する移動センサと、移動センサから出力される検出信号のうち、ポジショニングの開始と終了とを表す検出信号の時間間隔に基づいてポジショニング時間を算出する算出部とを用いてもよい。
【０１２３】
図２３に示すように、本実施形態の携帯型コンソール１０２は、放射線撮影システム１００がポジショニング時間測定部１０１を備えているか否かを特定する（Ｓ４０）。ポジショニング時間測定部１０１の有無の特定は、撮影技師Ｔによって携帯型コンソール１０２に設定された内容を基にしてもよいし、線源制御装置２０または撮影制御装置２６と無線通信または有線通信を行い、ポジショニング時間測定部１０１の有無に関する情報を取得してもよい。
【０１２４】
携帯型コンソール１０２は、放射線撮影システム１００がポジショニング時間測定部１０１を備えていない場合には（Ｓ４０でＮＯ）、入退室時刻検出部７１及び在室時間算出部７２によりポジショニング時間を測定する（Ｓ４１）。また、放射線撮影システム１００がポジショニング時間測定部１０１を備えている場合には（Ｓ４０でＹＥＳ）、携帯型コンソール１０２は、線源制御装置２０または撮影制御装置２６と無線通信または有線通信を行い、ポジショニング時間測定部１０１で測定されたポジショニング時間を取得する（Ｓ４２）。ポジショニング時間格納部２７Ｊは、ポジショニング時間測定部１０１で測定されたポジショニング時間を、撮影オーダから抽出されたオーダＩＤ及び手技情報とともに格納する（Ｓ４３）。
【０１２５】
以上で説明したように、本実施形態によれば、放射線撮影システム１００がポジショニング時間測定部１０１を備えている場合には、撮影技師Ｔの撮影室Ｒ１の在室時間よりも正確なポジショニング時間を取得することができるので、より正確な撮影スキルの評価を行うことができる。
【０１２６】
［第６実施形態］
第１実施形態では、携帯型コンソール２７内にポジショニング時間を格納し、携帯型コンソール２７でポジショニング時間に基づいて撮影スキルを分析し、分析結果表示画面７７を表示していたが、これらポジショニング時間の格納、撮影スキルの分析、分析結果表示画面の作成を携帯型コンソール２７とは別に設けたスキル分析サーバで行ってもよい。
【０１２７】
図２４に示すように、本実施形態の携帯型コンソール１０５は、ポジショニング時間格納部の代わりに、在室時間算出部７２で算出された在室時間（ポジショニング時間）と、撮影オーダから抽出したオーダＩＤ及び手技情報を含むポジショニング時間情報を、無線通信部４２によって送信するポジショニング時間情報送信部１０６を備えている。
【０１２８】
また、ＬＡＮ１３には、スキル分析サーバ１０８が接続されている。スキル分析サーバ１０８は、図４に示す携帯型コンソール２７と同様の構成を有するデスクトップ型のコンピュータからなり、サーバプログラムを起動することにより、ＣＰＵ１０８Ａは、通信部１０９、ポジショニング時間情報格納部１１０、撮影スキル分析部１１１、及びアドバイス情報作成部１１２として機能する。通信部１０９は、ＬＡＮ１３及びＡＰ１４を経由して無線通信部４２と通信を行い、無線通信部４２からポジショニング時間情報を受信する。ポジショニング時間情報格納部１１０は、通信部１０９で受信したポジショニング時間情報を格納するデータベースである。ポジショニング時間情報格納部１１０には、複数人の撮影技師Ｔがそれぞれ携帯型コンソール１０５にて撮影した際のポジショニング時間情報が格納される。
【０１２９】
撮影スキル分析部１１１は、携帯型コンソール１５から撮影技師Ｔを指定して撮影スキルの分析依頼が送信された場合に、第１実施形態の撮影スキル分析部７３と同様に、ポジショニング時間情報格納部１１０から読み出したポジショニング情報に基づき、撮影技師Ｔの撮影スキルを分析する。アドバイス情報作成部１１２は、撮影スキル分析部７３の分析結果に基づき、撮影技師Ｔへのアドバイス情報を作成する。通信部１０９は、本発明の配信部としても機能し、撮影スキル分析部７３の分析結果及びアドバイス情報作成部１１２のアドバイス情報に基づいて分析結果表示画面を作成し、携帯型コンソール１０５に配信する。
【０１３０】
図２５に示すように、分析結果表示画面１１４には、例えば、分析依頼で指定された撮影技師Ｔの、平均ポジショニング時間比較グラフ１１５、手技別件数比較グラフ１１６などを表示する。また、アドバイス情報作成部１１２で作成されたアドバイス情報として、撮影技師Ｔのスキル向上に役立つ、お勧め書籍１１７や、お勧め症例画像１１８が表示される。お勧め書籍１１７は、例えばスキル分析サーバ１０８が予め有している書籍データベースや、インターネットからの検索結果が表示される。また、お勧め症例画像１１８は、例えばスキル分析サーバ１０８が、画像サーバ３２から検索した症例画像が表示される。
【０１３１】
また、撮影スキル分析部１１１は、放射線科の技師長などの指示により、放射線科に所属する複数人の撮影技師Ｔの撮影スキルを分析、比較することもできる。図２６に示すように、複数人の撮影技師Ｔの撮影スキル分析結果が表示される分析結果表示画面１２０には、例えば、撮影技師毎の平均ポジショニング時間比較グラフ１２１、手技別件数比較グラフ１２２、年代別件数比較グラフ１２３などが表示される。
【０１３２】
以上で説明したように、本実施形態によれば、スキル分析サーバ１０８により、ポジショニング時間の格納、撮影スキルの分析、及び分析結果表示画面の作成を行うので、デスクトップ型のコンピュータに比べて処理速度の低い携帯型コンソールの作業負荷を小さくすることができる。また、放射線科単位など、複数人の撮影技師Ｔの撮影スキルをまとめて分析することもできるので、複数人の撮影技師Ｔの撮影スキル比較などを行うこともできる。
【０１３３】
なお、スキル分析サーバ１０８を個別に設けたが、ＨＩＳサーバ３０やＲＩＳサーバ３１にスキル分析サーバ１０８の機能を組み込んでもよい。また、スキル分析サーバ１０８で分析した撮影スキルの分析結果を携帯型コンソール１０５に配信する例について説明したが、放射線科に設置されているデスクトップ型のクライアント端末や、撮影技師Ｔや、撮影技師Ｔの上司が所持する携帯情報端末など、その他の端末装置に配信するようにしてもよい。
【０１３４】
上記各実施形態では、携帯型コンソールで撮影オーダ６０が選択された場合に、放射線撮影の準備作業が開始されるものと特定しているが、携帯型コンソールに準備作業の開始を指示できるような機能を設けてもよい。また、医用画像撮影装置として、放射線撮影システム１０を例に説明したが、ＣＴ（Computed Tomography）装置やＭＲＩ（magnetic resonance imaging）装置など、撮影室外で撮影指示を行う医用画像撮影装置にも適用可能である。
【０１３５】
上記各実施形態では、放射線源１９の照射タイミングと放射線画像検出装置２４の検出動作とを同期させるために、線源制御装置２０から撮影制御装置２６に同期信号を送信する例について説明したが、放射線画像検出装置２４が放射線の照射を検出して、放射線画像の検出動作を自動的に開始する機能を有する場合には、線源制御装置２０から撮影制御装置２６への同期信号の送信を省略することができる。
【０１３６】
また、放射線画像検出装置２４として、放射線源１９から照射された放射線の積算線量を測定し、積算線量が予め設定した値に達したときに放射線源１９に放射線の照射を停止させる自動露出機能を有するものを用いてもよい。さらに、放射線撮影装置１８として、可搬型の放射線画像検出装置２４と撮影制御装置２６とを備える例について説明したが、放射線画像検出装置２４に撮影制御装置２６の機能を組み込むことにより、撮影制御装置２６を省略した形態を有する放射線撮影装置を用いてもよい。
【符号の説明】
【０１３７】
１０、１００  放射線撮影システム
１４  アクセスポイント
１７  放射線発生装置
１８  放射線撮影装置
２４  放射線画像検出装置
２７  携帯型コンソール
２７Ｊ  ポジショニング時間格納部
３１  ＲＩＳ
７１、８６、９３、９８  入退室時刻検出部
７２  在室時間算出部
７３、１１１  撮影スキル分析部
７４  分析結果表示制御部
７７  分析結果表示画面
９０Ａ、９０Ｂ  無線通信タグ
９２  タグリーダ
９６  ＧＰＳ受信部
１０１  ポジショニング時間測定部
１０６  ポジショニング時間情報送信部
１０８  スキル分析サーバ
１０９  通信部
１１０  ポジショニング時間情報格納部
１１１  撮影スキル分析部
１１２  アドバイス情報作成部
【図１】
2015191555.tif 000003
【図２】
2015191555.tif 000004
【図３】
2015191555.tif 000005
【図４】
2015191555.tif 000006
【図５】
2015191555.tif 000007
【図６】
2015191555.tif 000008
【図７】
2015191555.tif 000009
【図８】
2015191555.tif 000010
【図９】
2015191555.tif 000011
【図１０】
2015191555.tif 000012
【図１１】
2015191555.tif 000013
【図１２】
2015191555.tif 000014
【図１３】
2015191555.tif 000015
【図１４】
2015191555.tif 000016
【図１５】
2015191555.tif 000017
【図１６】
2015191555.tif 000018
【図１７】
2015191555.tif 000019
【図１８】
2015191555.tif 000020
【図１９】
2015191555.tif 000021
【図２０】
2015191555.tif 000022
【図２１】
2015191555.tif 000023
【図２２】
2015191555.tif 000024
【図２３】
2015191555.tif 000025
【図２４】
2015191555.tif 000026
【図２５】
2015191555.tif 000027
【図２６】
2015191555.tif 000028